(57)【要約】【課題】スクリーンを開閉する移動框を全閉位置で確実に保持可能としながら、ハンガーレールの大型化を防止し、かつ移動框を垂直方向に維持し得る横引スクリーンの開閉装置を提供する。【解決手段】一対の框１，２をパンタグラフ装置７ａ，７ｂで連結するとともに、該框１，２間にスクリーン３ａを配設し、パンタグラフ装置７ａ，７ｂを伸縮させることにより、スクリーン３ａを伸縮して開閉可能とした横引スクリーンにおいて、框１，２をスクリーン３ａの全開位置に保持する戻り止め装置１７をいずれか一方の框に設けた。【選択図】　　　　図１
2004107886.tif 000002
【特許請求の範囲】
【請求項１】
一対の框をパンタグラフ装置で連結するとともに、該框間にスクリーンを配設し、前記パンタグラフ装置を伸縮させることにより、前記スクリーンを伸縮して開閉可能とした横引スクリーンにおいて、
前記框をスクリーンの全開位置に保持する戻り止め装置をいずれか一方の框に設けたことを特徴とする横引スクリーンの開閉装置。
【請求項２】
前記戻り止め装置は、前記パンタグラフ装置の伸縮に基づいて前記框に沿って移動する移動部材と、前記框の全開位置において、前記移動部材を弾性的に保持する保持部とから構成したことを特徴とする請求項１記載の横引スクリーンの開閉装置。
【請求項３】
前記移動部材は、パンタグラフ装置の伸縮に基づいて移動框に沿って移動する軸受部材で構成し、前記保持部は前記移動框に取着され、前記軸受部材に係合する係止バネで構成したことを特徴とする請求項２記載の横引スクリーンの開閉装置。
【請求項４】
前記軸受部材には係止凹部を形成し、前記係止バネの先端部には前記係止凹部に係合する係合部を設けたことを特徴とする請求項３記載の横引スクリーンの開閉装置。
【請求項５】
前記パンタグラフ装置には前記スクリーンの開閉操作の補助力を生成する開閉補助装置を備えたことを特徴とする請求項１乃至４のいずれかに記載の横引スクリーンの開閉装置。
【発明の詳細な説明】
【０００１】
【発明の属する技術分野】
この発明は、横引プリーツスクリーン、アコーデオンカーテン等のスクリーンを開閉する開閉装置に関するものである。
【０００２】
【従来の技術】
特許文献１に記載された折畳ドアは垂直枠間に表面シートが伸縮可能に配設され、かつ垂直枠間に伸縮枠が配設されている。そして、一方の垂直枠をレールに沿って移動させることにより、表面シートを引き出しあるいは畳み込み可能となっている。
【０００３】
一方の垂直枠には伸縮枠の開閉に際し、補助力を付与する定荷重バネが設けられている。そして、垂直枠を中間位置から表面シートの引き出し方向に移動させれば、その垂直枠に表面シートの引き出し方向への補助力が作用して、垂直枠を全閉位置まで移動させたとき、同垂直枠をその位置に保持する。
【０００４】
また、垂直枠を中間位置から表面シートの畳み込み方向に移動させれば、その垂直枠に表面シートの畳み込み方向への補助力が作用して、垂直枠を全開位置まで移動させたとき、同垂直枠をその位置に保持する。
【０００５】
【特許文献１】
特公昭５９−２１４３８
【０００６】
【発明が解決しようとする課題】
上記のような開閉装置では、表面シートの伸縮に対する反発力は、表面シートの材質によりそれぞれ異なる。そこで、定荷重バネの付勢力は表面シートの材質に応じて設定することが望ましい。
【０００７】
しかし、表面シートの材質に応じて定荷重バネの付勢力を設定することは、設計あるいは組み立て作業が煩雑となる。
従って、表面シートの反発力に対し、定荷重バネの付勢力が弱い場合には、表面シートを全開位置まで移動させても、垂直枠が若干戻ってしまい、全閉状態を維持することができないという問題点がある。
【０００８】
すべての材質の表面シートに対し、十分な補助力を確保するために、定荷重バネの付勢力を強くすると、反発力の弱い表面シートを使用した場合、補助力が過大となる。
【０００９】
そして、引き出し操作時には垂直枠が対向するドア枠に衝突したり、畳み込み操作時には表面シートが勢いよく畳み込まれて垂直枠同士が衝突して、騒音を発生する等の問題点がある。
【００１０】
そこで、垂直枠を全閉位置に保持するための戻り止め装置をレール内に設ける構成が実用化されているが、このような構成ではレールが大型化する。また、垂直枠の上端部にのみ保持力が作用するため、垂直枠の下部が表面シートの反発力により引かれ、レールから斜めに垂下されるというという問題点がある。
【００１１】
この発明の目的は、スクリーンを開閉する移動框を全閉位置で確実に保持可能としながら、ハンガーレールの大型化を防止し、かつ移動框を垂直方向に維持し得る横引スクリーンの開閉装置を提供することにある。
【００１２】
【課題を解決するための手段】
請求項１では、一対の框をパンタグラフ装置で連結するとともに、該框間にスクリーンを配設し、前記パンタグラフ装置を伸縮させることにより、前記スクリーンを伸縮して開閉可能とした横引スクリーンにおいて、前記框をスクリーンの全開位置に保持する戻り止め装置をいずれか一方の框に設けた。
【００１３】
請求項２では、前記戻り止め装置は、前記パンタグラフ装置の伸縮に基づいて前記框に沿って移動する移動部材と、前記框の全開位置において、前記移動部材を弾性的に保持する保持部とから構成した。
【００１４】
請求項３では、前記移動部材は、パンタグラフ装置の伸縮に基づいて移動框に沿って移動する軸受部材で構成し、前記保持部は前記移動框に取着され、前記軸受部材に係合する係止バネで構成した。
【００１５】
請求項４では、前記軸受部材には係止凹部を形成し、前記係止バネの先端部には前記係止凹部に係合する係合部を設けた。
請求項５では、前記パンタグラフ装置には前記スクリーンの開閉操作の補助力を生成する開閉補助装置を備えた。
【００１６】
【発明の実施の形態】
（第一の実施の形態）
図１及び図２に示す横引プリーツスクリーンは、固定框１と移動框２との間に２枚のスクリーン３ａ，３ｂが配設される。前記移動框２は、ハンガーレール４に沿って移動可能に支持され、前記スクリーン３ａ，３ｂはジグザグ状に伸縮可能に形成される。従って、移動框２を固定框１から遠ざかる方向に移動させると、スクリーン３ａ，３ｂが引き出され、移動框２を固定框１に近づく方向に移動させると、スクリーン３ａ，３ｂが両框１，２間に畳み込まれる。
【００１７】
前記スクリーン３ａ，３ｂ間には、互いの離間を防止する間隔保持部材５が所定間隔ごとに複数箇所設けられている。また、移動框２の前後両側面には取手６が設けられている。
【００１８】
前記スクリーン３ａ，３ｂ間において、前記固定框１と移動框２との間には２組のパンタグラフ装置７ａ，７ｂが配設されている。
前記パンタグラフ装置７ａは、２本の連接軸８ａ，８ｂがその中間部で回動可能に連結されている。
【００１９】
前記連接軸８ａの一端は、前記固定框１の上部に固定された軸受部材９に回動可能に支持されている。前記連接軸８ｂの一端は、固定框１の下部に上下方向に移動可能に支持された軸受部材１０に回動可能に支持されている。
【００２０】
前記パンタグラフ装置７ｂは、２本の連接軸１１ａ，１１ｂがその中間部で回動可能に連結されている。
前記連接軸１１ａの一端は、前記パンタグラフ装置７ａの連接軸８ｂの他端に回動可能に連結され、前記連接軸１１ｂの一端は、前記パンタグラフ装置７ａの連接軸８ａの他端に回動可能に連結されている。
【００２１】
前記連接軸１１ｂの他端は、前記移動框２の上部に固定された軸受部材１２に回動可能に支持されている。前記連接軸１１ａの他端は、移動框２の下部に上下方向に移動可能に支持された軸受部材１３に回動可能に支持されている。
【００２２】
従って、移動框２を固定框１に向かって移動させれば、軸受部材１０，１３が固定框１及び移動框２に沿って下方へ移動して、図３及び図５に示すように、パンタグラフ装置７ａ，７ｂが畳まれる。
【００２３】
また、移動框２を固定框１から離間する方向に移動させれば、軸受部材１０，１３が固定框１及び移動框２に沿って上方へ移動して、パンタグラフ装置７ａ，７ｂが引き伸ばされる。
【００２４】
前記パンタグラフ装置７ａには、開閉補助装置が取着されている。前記開閉補助装置は、ワイヤ１４ａ，１４ｂとコイルスプリング１５ａ，１５ｂとから構成される。
【００２５】
前記ワイヤ１４ａは、その一端が前記連接軸８ｂと同１１ａとの連結部において、同連接軸８ｂの端部に固定される。また、ワイヤ１４ａの他端部は、前記軸受部材９に回転可能に支持されたプーリーに掛装されて固定框１に沿って下方へ案内され、軸受部材１０に回転可能に支持されたプーリーに掛装されて固定框１に沿って上方へ案内され、コイルスプリング１５ａの下端に取着されている。
【００２６】
前記コイルスプリング１５ａの上端は、連結ワイヤを介して軸受部材９に接続されている。
前記ワイヤ１４ｂは、その一端が前記連接軸８ａと同１１ｂとの連結部において、同連接軸８ａの端部に固定される。また、ワイヤ１４ｂの他端部は、前記軸受部材１０に回転可能に支持されたプーリーに掛装されて固定框１に沿って上方へ案内され、軸受部材９に回転可能に支持されたプーリーに掛装されて固定框１に沿って下方へ案内され、コイルスプリング１５ｂの上端に取着されている。
【００２７】
前記コイルスプリング１５ｂの下端は、連結ワイヤを介して軸受部材１０に接続されている。
前記連接軸８ａ，８ｂ，１１ａ，１１ｂ及びワイヤ１４ａ，１４ｂは、前記間隔保持部材５に形成された挿通孔２６にそれぞれ挿通されている。
【００２８】
このように構成された開閉補助装置では、連接軸８ａ，８ｂの挟角αが所定角度以下であれば、コイルスプリング１５ａ，１５ｂの付勢力が連接軸８ａ，８ｂの挟角αを小さくする方向、すなわち移動框２を固定框１に向かって移動させて、スクリーン３ａ，３ｂを畳み込む方向に作用する。
【００２９】
また、連接軸８ａ，８ｂの挟角αが所定角度以上であれば、コイルスプリング１５ａ，１５ｂの付勢力が連接軸８ａ，８ｂの挟角αを大きくする方向、すなわち移動框２を固定框１から離れる方向に向かって移動させて、スクリーン３ａ，３ｂを引き出す方向に作用する。
【００３０】
このような動作により、開閉補助装置はスクリーン３ａ，３ｂの引き出し操作及び畳み込み操作時に、移動框２に補助力を付与する。
前記連接軸１１ａの一端と、連接軸１１ｂの一端とは補助コイルスプリング２７を介して接続される。この補助コイルスプリング２７は、移動框２を固定框１から離れる方向に付勢する補助力の不足を補うように動作する。
【００３１】
前記移動框２には、ダンパー装置１６が設けられている。そして、前記移動框２の移動速度が所定速度以下に規制されるようになっている。
図４に示すように、前記軸受部材１３及び移動框２には戻り止め装置１７が設けられている。前記戻り止め装置１７は、前記軸受部材（移動部材）１３に設けられた係止凹部１８と、前記移動框２に取着される係止バネ（保持部）１９とで構成される。
【００３２】
前記係止凹部１８は、軸受部材１３の下端部において、連接軸１１ａ側の側面に形成された円弧状の凹部である。また、係止凹部１８の下方には、軸受部材１３の下端から係止凹部１８の稜部に連なる斜面２０が形成されている。
【００３３】
前記係止バネ１９は、板バネで構成され、その下部が移動框２に固定される。係止バネ１９の上部は、連接軸１１ａ側に向かって斜め上方に延設され、その上端部には前記係止凹部１８に係合するように円弧状に屈曲された係合部２１が形成されている。
【００３４】
前記係止バネ１９は、移動框２を全開位置まで移動させたとき、係合部２１が前記係止凹部１８に係合する位置で移動框２に取り付けられる。
前記移動框２は、直角ランナー２２を介してハンガーレール４に移動可能に支持される。前記直角ランナー２２はランナー本体の前後に一対ずつの車輪が設けられ、その車輪がハンガーレール４内を転動する。そして、移動框２の上端がランナー本体に固定されている。従って、移動框２はほぼ垂直方向に維持された状態でハンガーレール４に沿って移動する。
【００３５】
前記直角ランナーの各車輪とハンガーレール４の内壁との間には、若干のクリアランスが設けられ、取手６を持って移動框２を移動させるとき、直角ランナー２２がハンガーレール４内で進行方向に対し僅かに斜めとなった場合にも、ハンガーレール４内を容易に移動できるようになっている。
【００３６】
上記のように構成された横引プリーツスクリーンでは、移動框２を固定框１から遠ざかる方向に移動させると、スクリーン３ａ，３ｂが引き出される。このとき、連接軸８ａ，８ｂの挟角αが所定角度より大きくなると、移動框２にスクリーン引き出し方向の補助力が作用し、スクリーン３ａ，３ｂを全閉状態とした後は、その補助力により移動框２が全閉位置に保持される。
【００３７】
そして、ダンパー装置１６の作用により、移動框２の移動速度は所定速度以下に抑制される。
また、移動框２を固定框１に近づく方向に移動させると、スクリーン３ａ，３ｂが畳み込まれる。このとき、連接軸８ａ，８ｂの挟角αが所定角度より小さくなると、移動框２にスクリーン畳み込み方向の補助力が作用し、スクリーン３ａ，３ｂを全開状態とした後は、その補助力により移動框２が全開位置に保持される。
【００３８】
そして、ダンパー装置１６の作用により、移動框２の移動速度は所定速度以下に抑制される。
また、移動框２を全開位置まで移動させるとき、パンタグラフ装置７ａ，７ｂが畳まれて、軸受部材１３が下方へ移動する。そして、係合部２１が斜面２０に当接して撓み、図５に示すように、やがて係合部２１が係止凹部１８に係合する。
【００３９】
この状態から、移動框２をスクリーン引出し方向に移動させれば、係止バネ１９が撓んで、係合部２１が係止凹部１８から外れ、軸受部材１３が上方へ移動する。
【００４０】
上記のように構成された横引プリーツスクリーンでは、次に示す作用効果を得ることができる。
（１）パンタグラフ装置７ａの連接軸８ａ，８ｂの挟角αが所定角度となる状態から、移動框２を固定框１に近づく方向に移動させるとき、開閉補助装置により移動框２を固定框１に向かって付勢する補助力を発生させることができる。従って、スクリーン３ａ，３ｂの畳み込み操作を軽微な操作力で行うことができる。
（２）パンタグラフ装置７ａの連接軸８ａ，８ｂの挟角αが所定角度となる状態から、移動框２を固定框１から離れる方向に移動させるとき、開閉補助装置により移動框２を固定框１から離れる方向に向かって付勢する補助力を発生させることができる。従って、スクリーン３ａ，３ｂの引き出し操作を軽微な操作力で行うことができる。
（３）戻り止め装置１７により、移動框２をスクリーン全開位置に保持することができる。
（４）戻り止め装置１７を設けたことにより、移動框２を全開位置に保持するコイルスプリング１５ａ，１５ｂの保持力が不足しても、スクリーン３ａ，３ｂの反発力に抗して、移動框２を全開位置に確実に保持することができる。
（５）戻り止め装置１７を移動框２に設けたので、ハンガーレール４の大型化を防止することができる。
（６）移動框２は、パンタグラフ装置７ａ，７ｂの連接軸１１ａ，１１ｂにより、上下２箇所で支持されているので、垂直方向に確実に支持することができる。
【００４１】
上記実施の形態は、次に示すように変更することもできる。
・横引プリーツカーテンの他、アコーデオンカーテンに実施してもよい。
・戻り止め装置１７は、固定框１に設けてもよい。
【００４２】
【発明の効果】
以上詳述したように、この発明はスクリーンを開閉する移動框を全閉位置で確実に保持可能としながら、ハンガーレールの大型化を防止し、かつ移動框を垂直方向に維持し得る横引スクリーンの開閉装置を提供することができる。
【図面の簡単な説明】
【図１】横引プリーツカーテンを示す正面図である。
【図２】横引プリーツカーテンを示す平面図である。
【図３】スクリーンを畳み込んだ状態を示す正面図である。
【図４】戻り止め装置を示す正面図である。
【図５】戻り止め装置の動作を示す正面図である。
【符号の説明】
１　　　　　框（固定框）
２　　　　　框（移動框）
３ａ，３ｂ　　　　　スクリーン
７ａ，７ｂ　　　　パンタグラフ装置
１４ａ，１４ｂ　　　　開閉補助装置（ワイヤ）
１５ａ，１５ｂ　　　　開閉補助装置（コイルスプリング）
１７　　　戻り止め装置
【図１】
2004107886.tif 000003
【図２】
2004107886.tif 000004
【図３】
2004107886.tif 000005
【図４】
2004107886.tif 000006
【図５】
2004107886.tif 000007